(57)【要約】【課題】温度変化によりデッキ材が熱伸縮した場合にもデッキ面の平面性を確保できる組立式デッキを提供すること。【解決手段】この組立式デッキ１は、複数のデッキ材２が連結されて成ると共に、取付対象１０に取り付けられて設置される。また、この組立式デッキ１では、デッキ材２がその長手方向に延在する溝２１と、この溝２１に沿ってスライド可能に設置される取付部材３とを含み構成される。そして、取付部材３が取付対象１０を保持することによりデッキ材２が取付対象１０に対して固定される。【選択図】        図２
2008025194.tif 000002
【特許請求の範囲】
【請求項１】
複数のデッキ材が連結されて成ると共に取付対象に取り付けられて設置される組立式デッキであって、
前記デッキ材がその長手方向に延在する溝と前記溝に沿ってスライド可能に設置される取付部材とを含み、且つ、前記取付部材が取付対象を保持することにより前記デッキ材が前記取付対象に固定されることを特徴とする組立式デッキ。
【請求項２】
前記取付部材が、前記溝にスライド可能に挿入される第一取付金具と前記第一取付金具に結合される第二取付金具とを有すると共に、前記第一取付金具および前記第二取付金具間に取付対象を挟み込んで保持する請求項１に記載の組立式デッキ。
【請求項３】
仮設橋、簡易ヘリポート、その他の屋外構造物に適用される請求項１または２に記載の組立式デッキ。
【発明の詳細な説明】
【技術分野】
【０００１】
この発明は、組立式デッキに関し、さらに詳しくは、温度変化によりデッキ材が熱伸縮した場合にもデッキ面の平面性を確保できる組立式デッキに関する。
【背景技術】
【０００２】
近年、簡易に設置できて汎用性に優れる組立式デッキに対するニーズが拡大している。かかる組立式デッキは、複数のデッキ材が嵌め合わされて成り、単一の平面構造物を構成する。組立式デッキは、例えば、仮設橋、簡易ヘリポート、渡り廊下などに広く用いられている。このような組立式デッキには、例えば、特許文献１に記載される技術が知られている。
【０００３】
【特許文献１】実開昭５２−１１９１３号公報
【発明の開示】
【発明が解決しようとする課題】
【０００４】
しかしながら、従来の組立式デッキでは、その設置時にて各デッキ材が取付対象に対してボルト等で固定されるため、温度変化によりデッキ材が熱伸縮したときに、デッキ材が曲げ変形してデッキ面に歪みや凹凸が発生するという課題がある。
【０００５】
そこで、この発明は、上記に鑑みてされたものであって、温度変化によりデッキ材が熱伸縮した場合にもデッキ面の平面性を確保できる組立式デッキを提供することを目的とする。
【課題を解決するための手段】
【０００６】
上記目的を達成するため、この発明にかかる組立式デッキは、複数のデッキ材が連結されて成ると共に取付対象に取り付けられて設置される組立式デッキであって、前記デッキ材がその長手方向に延在する溝と前記溝に沿ってスライド可能に設置される取付部材とを含み、且つ、前記取付部材が取付対象を保持することにより前記デッキ材が前記取付対象に固定されることを特徴とする。
【０００７】
この組立式デッキでは、気温の変化などによりデッキ材が熱伸縮したときに、取付部材が溝に沿ってデッキ材の長手方向にスライドする。すなわち、デッキ材が長手方向に熱伸縮できるので、その曲げ変形が低減される。これにより、温度変化によりデッキ材が熱伸縮した場合にも、デッキ面の平面性が確保される利点がある。
【０００８】
また、この発明にかかる組立式デッキは、前記取付部材が、前記溝にスライド可能に挿入される第一取付金具と前記第一取付金具に結合される第二取付金具とを有すると共に、前記第一取付金具および前記第二取付金具間に取付対象を挟み込んで保持する。
【０００９】
この組立式デッキでは、簡易な構成にて、デッキ材の長手方向への熱伸縮を可能としつつデッキ材を取付対象に固定できる点で好ましい。
【００１０】
また、この発明にかかる組立式デッキは、仮設橋、簡易ヘリポート、その他の屋外構造物に適用される。
【００１１】
この組立式デッキ１では、上記のように温度変化によりデッキ材が熱伸縮したときにデッキ材の曲げ変形が低減されるので、デッキ面の歪み或いは凹凸が発生し難い。したがって、この組立式デッキが仮設橋や簡易ヘリポートなどの屋外構造物に適用されることにより、温度変化時の平面安定性に優れた仮設橋あるいは簡易ヘリポートが提供される利点がある。
【発明の効果】
【００１２】
この発明にかかる組立式デッキでは、気温の変化などによりデッキ材が熱伸縮したときに、取付部材が溝に沿ってデッキ材の長手方向にスライドする。すなわち、デッキ材が長手方向に熱伸縮できるので、その曲げ変形が低減される。これにより、温度変化によりデッキ材が熱伸縮した場合にも、デッキ面の平面性が確保される利点がある。
【発明を実施するための最良の形態】
【００１３】
以下、この発明につき図面を参照しつつ詳細に説明する。なお、この実施例によりこの発明が限定されるものではない。また、この実施例の構成要素には、当業者が置換可能かつ容易なもの、或いは実質的同一のものが含まれる。また、この実施例に記載された複数の変形例は、当業者自明の範囲内にて任意に組み合わせが可能である。
【実施例】
【００１４】
図１は、この発明の実施例にかかる組立式デッキを示す斜視図である。図２および図３は、図１に記載した組立式デッキの取付構造を示す斜視図（図２）およびＡ−Ａ視断面図（図３）である。図４は、図１に記載した組立式デッキの取付部材を示す説明図である。図５および図６は、図１に記載した組立式デッキの取付構造の変形例を示す説明図である。図７および図８は、図１に記載した組立式デッキの適用例を示す説明図である。
【００１５】
この組立式デッキ１は、複数のデッキ材２が平面方向に連結（嵌合）されて構成され、梁などの取付対象１０に取り付けられて設置される（図１参照）。デッキ材２は、例えば、アルミニウム製であり、長尺かつ略矩形の板状構造を有する。また、各デッキ材２は、その側部に嵌合部（凸部あるいは凹部）２３を有し、この嵌合部２３を嵌め合わせることにより、幅方向に隣り合うデッキ材２に対して連結される。また、各デッキ材２は、中空構造を有し、その中空部に挿入されたロッド（図示省略）により、長手方向に隣り合うデッキ材に対して連結される。
【００１６】
ここで、組立式デッキ１は、以下の取付構造により取付対象１０に取り付けられて設置される（図２〜図４参照）。まず、デッキ材２の平面（取付対象１０に対する取付面）に、デッキ材２の長手方向に沿って延在する溝２１が形成される。この溝２１は、デッキ材２の成形時にて、押出加工により一時に成形される。また、一のデッキ材２に対して複数本の溝２１が形成されている。また、溝２１の開口部には、溝幅方向内側に突出する係止部２２が形成される（図３参照）。このデッキ材２の溝２１には、取付部材３が溝長さ方向にスライド可能に配置される。この取付部材３は、板状形状を有する第一取付金具３１および一対の第二取付金具３２、３２と、これらの取付金具３１、３２を固定するためのボルト３３、３３およびナット３４、３４とを有する（図４参照）。
【００１７】
組立式デッキ１の設置状態では、取付部材３がデッキ材２の溝２１にスライド可能に挿入され、この取付部材３により取付対象１０が保持されて、デッキ材２が取付対象１０に固定される（図２および図３参照）。具体的には、取付部材３の第一取付金具３１がデッキ材２の溝２１にスライド可能に挿入される。このとき、第一取付金具３１が、溝２１の開口部に形成された係止部２２により溝２１内に係止されて保持される。そして、この第一取付金具３１と第二取付金具３２、３２との間に取付対象１０（例えば、Ｈ鋼の裾部）が挟み込まれて配置され、これらの第一取付金具３１および第二取付金具３２、３２がボルト３３、３３およびナット３４、３４により締結されて固定される。これにより、デッキ材２が取付部材３を介して取付対象１０に固定される。なお、取付部材３は、各デッキ材２の要所にそれぞれ設置される。
【００１８】
この組立式デッキ１では、デッキ材２がその長手方向（温度変化による熱伸縮が大きい方向）に延在する溝２１を有し、この溝２１に沿って取付部材３がスライド可能に設置され、この取付部材３を介してデッキ材２が取付対象１０に固定される（図２および図３参照）。かかる構成では、気温の変化などによりデッキ材２が熱伸縮したときに、取付部材３が溝２１に沿ってデッキ材２の長手方向にスライドする。すなわち、デッキ材２が長手方向に熱伸縮できるので、その曲げ変形が低減される。これにより、温度変化によりデッキ材が熱伸縮した場合にも、組立式デッキ１の平面性が確保される利点がある。
【００１９】
また、かかる構成では、デッキ材２と取付対象１０と或いは取付部材３と取付対象１０とが直接的にボルト結合される構成と比較して、取付対象１０にボルト孔を加工する必要が無い。したがって、既存の取付対象１０に対して簡易にデッキ材２を固定できる点で好ましい。
【００２０】
また、この組立式デッキ１では、取付部材３が、デッキ材２の溝２１にスライド可能に挿入される第一取付金具３１と、この第一取付金具３１に結合（ボルト３３、３３およびナット３４、３４による結合）される第二取付金具３２とを有する（図４参照）。そして、これらの第一取付金具３１および第二取付金具３２間に取付対象１０が挟み込まれて保持されることにより、デッキ材２が取付対象１０に固定される（図２および図３参照）。かかる構成では、簡易な構成にて、デッキ材２の長手方向への熱伸縮を可能としつつデッキ材２を取付対象１０に固定できる点で好ましい。
【００２１】
［変形例１］
なお、この組立式デッキ１では、第一取付金具および第二取付金具がショートボルト３３によりボルト結合される（図２〜図４参照）。このため、取付部材３は、取付対象１０であるＨ鋼の裾部を挟み込んで保持する。かかる構成では、取付対象１０の高さｈが高い場合にも、取付対象１０が取付部材３により適正に保持されてデッキ材２が取付対象１０に固定される点で好ましい。
【００２２】
しかし、これに限らず、第一取付金具および第二取付金具がロングボルト３５によりボルト結合される構成が採用されても良い（図５および図６）。例えば、第一取付金具および第二取付金具が取付対象１０の全体を挟み込んで保持する。かかる構成では、上記のショートボルト３３が採用される構成と比較して、取付部材３の構造計算が容易である点で好ましい。
【００２３】
［適用対象］
また、この組立式デッキ１は、仮設橋２０として用いられることが好ましい（図７および図８参照）。例えば、震災などにより橋が破損して橋脚のみが残っている場合に、この橋脚上の梁に対して組立式デッキ１が設置されることにより仮設橋が構成される。また、この組立式デッキ１は、簡易ヘリポートして用いられることが好ましい（図示省略）。このような簡易ヘリポートは、例えば、建物屋上などに設置され、或いは、緊急発着場として臨時的に設置される。
【００２４】
かかる構成において、この組立式デッキ１では、上記のように温度変化によりデッキ材が熱伸縮したときにデッキ材２の曲げ変形が低減されるので、デッキ面の歪み或いは凹凸が発生し難い。したがって、この組立式デッキ１が仮設橋２０や簡易ヘリポートに適用されることにより、温度変化時の平面安定性に優れた仮設橋２０あるいは簡易ヘリポートが提供される利点がある。特に、温度変化の激しい屋外に設置される仮設橋２０や簡易ヘリポートでは、かかる利点は有益である。
【００２５】
その他、この組立式デッキ１は、例えば、屋内に設置される渡り廊下や床材として用いられても良い。
【産業上の利用可能性】
【００２６】
以上のように、本発明にかかる組立式デッキは、温度変化によりデッキ材が熱伸縮した場合にもデッキ面の平面性を確保できる点で有用である。
【図面の簡単な説明】
【００２７】
【図１】この発明の実施例にかかる組立式デッキを示す斜視図である。
【図２】図１に記載した組立式デッキの取付構造を示す斜視図である。
【図３】図１に記載した組立式デッキの取付構造を示すＡ−Ａ視断面図である。
【図４】図１に記載した組立式デッキの取付部材を示す説明図である。
【図５】図１に記載した組立式デッキの取付構造の変形例を示す説明図である。
【図６】図１に記載した組立式デッキの取付構造の変形例を示す説明図である。
【図７】図１に記載した組立式デッキの適用例を示す説明図である。
【図８】図１に記載した組立式デッキの適用例を示す説明図である。
【符号の説明】
【００２８】
１    組立式デッキ
２    デッキ材
２１  溝
２２  係止部
２３  嵌合部
３    取付部材
３１  第一取付金具
３２  第二取付金具
１０  取付対象
２０  仮設橋
３３  ショートボルト
３４  ナット
３５  ロングボルト
【図１】
2008025194.tif 000003
【図２】
2008025194.tif 000004
【図３】
2008025194.tif 000005
【図４】
2008025194.tif 000006
【図５】
2008025194.tif 000007
【図６】
2008025194.tif 000008
【図７】
2008025194.tif 000009
【図８】
2008025194.tif 000010